(57)【要約】【課題】照明システムにおいて、警報器の警報音を検知可能な領域を広くし、さらに、光により警報が報知される領域の設定自由度を高くする。【解決手段】照明システム１は、警報器の警報音を含む周囲音を集音するマイク２１が設けられたリモコン２と、光源３１を有する照明器具とを備える。リモコン２は、使用者により携帯可能である。光源３１は、警報を使用者に報知するため、マイク２１の出力に基づいて点灯制御される。上記構成において、リモコン２は、警報音を集音するマイク２１を有すると共に、使用者により携帯可能であるため、警報器の警報音を検知可能な範囲を広くすることができる。また、マイク２１と、警報を使用者に報知するため点灯制御される光源３１とは、それぞれ別の機器に設けられているので、光により警報が報知される領域の設定自由度を高くすることができる。【選択図】図２
2008204393.tif 000002
【特許請求の範囲】
【請求項１】
光源を有する照明器具と、警報器の警報音を含む周囲音を集音するマイクと、を備え、警報を使用者に報知するため、前記マイクの出力に基づいて前記光源が点灯制御される照明システムにおいて、
使用者により携帯可能であり、無線信号を用いて前記照明器具を遠隔制御するリモートコントローラを備え、
前記マイクは、前記リモートコントローラに搭載され、
前記リモートコントローラは、
前記マイクの出力を解析し、該マイクにより集音された周囲音の中に警報音が含まれているか否かを判断する解析部と、
前記周囲音の中に警報音が含まれていると前記解析部により判断された場合に該解析部から送出される信号に基づき、警報情報を無線信号に重畳し、該無線信号を前記照明器具に送信する送信部と、を有し、
前記照明器具は、
前記リモートコントローラの送信部により送信された警報情報を受信する受信部と、
前記受信部により受信された警報情報に基づき、警報を使用者に報知するため前記光源を点灯制御する点灯制御部と、を有することを特徴とする照明システム。
【請求項２】
前記リモートコントローラは、他のリモートコントローラの送信部から送信された警報情報を受信する受信部を有し、
前記リモートコントローラの送信部は、該リモートコントローラの受信部により受信された警報情報を前記照明器具に送信し、
前記照明器具は、該照明器具の受信部により受信された警報情報を他の照明器具に送信する送信部を有し、
前記照明器具の受信部は、他の照明器具の送信部から送信された警報情報を受信することを特徴とする請求項１に記載の照明システム。
【請求項３】
外部端末と通信回線を介して接続された通信機器を備え、
前記通信機器は、
前記リモートコントローラの送信部から送信された警報情報を受信する受信部と、
前記受信部により受信された警報情報を前記通信回線を介して前記外部端末に送信する送信部と、を有することを特徴とする請求項１又は請求項２に記載の照明システム。
【請求項４】
前記照明器具を含む家電機器と電気的に接続され、且つ、外部端末と通信回線を介して接続され、該家電機器を一括制御するホームサーバをさらに備え、
前記リモートコントローラと照明器具の両方または一方は、人を検知する人感センサを有し、
前記リモートコントローラと照明器具の両方または一方の送信部は、前記警報情報及び前記人感センサからの出力に応じた人検知情報を無線信号に重畳し、該無線信号を前記ホームサーバに送信し、
前記ホームサーバは、
前記リモートコントローラと照明器具の両方または一方の送信部から送信された警報情報及び人検知情報を受信する受信部と、
前記受信部により受信された警報情報及び人検知情報を前記通信回線を介して前記外部端末に送信する送信部と、
前記受信部により受信された警報情報及び人検知情報に基づき、使用者に避難経路を認知させるように前記家電機器を連動制御するため該家電機器に制御信号を送信する家電制御部と、を有することを特徴とする請求項１乃至請求項３のうちいずれか一項に記載の照明システム。
【請求項５】
前記リモートコントローラは、
前記マイクにより集音された周囲音の中に警報音が含まれているか否かを前記解析部が判断する際に、該解析部により参照され、該判断の基となる判断基準を記憶する記憶部を有し、
前記記憶部は、前記判断基準を変更可能に記憶していることを特徴とする請求項１乃至請求項４のいずれか一項に記載の照明システム。
【請求項６】
前記リモートコントローラの記憶部により記憶される判断基準には、警報器から警報内容別に発音される警報音の種類を判別するための判別パラメータが含まれ、
前記リモートコントローラの解析部は、前記マイクの出力を解析し、該マイクにより集音された周囲音の中に含まれる警報音の種類を前記判別パラメータを参照して判別し、該判別の結果に応じた信号を該リモートコントローラの送信部に送出し、
前記リモートコントローラの送信部は、前記判別の結果に応じた前記解析部からの信号に基づき、警報音の種類を示す警報音種類情報を前記警報情報に重畳して前記照明器具とホームサーバの両方または一方に送信し、
前記照明器具の点灯制御部とホームサーバの家電制御部の両方または一方は、警報器からの警報内容を使用者に通知するため、前記警報音種類情報に基づいて前記光源と家電機器の両方または一方を制御することを特徴とする請求項５に記載の照明システム。
【請求項７】
前記リモートコントローラは、
発光部と、
前記マイクにより集音された周囲音の中に警報音が含まれていると前記解析部により判断された場合に該解析部から送出される信号に基づき、前記発光部を発光制御する発光制御部と、
前記発光部及び発光制御部に電力を供給する電池と、を有することを特徴とする請求項１乃至請求項６のいずれか一項に記載の照明システム。
【請求項８】
前記照明器具は、
スピーカと、
該照明器具の受信部により受信された警報情報に基づき、警報を使用者に報知するために前記スピーカから音を発するか否かを制御する発音制御部と、を有することを特徴とする請求項１乃至請求項７のいずれか一項に記載の照明システム。
【請求項９】
前記ホームサーバは、
スピーカと、
該ホームサーバの受信部により受信された警報情報に基づき、警報を使用者に報知するために前記スピーカから音を発するか否かを制御する発音制御部と、を有することを特徴とする請求項４乃至請求項８のいずれか一項に記載の照明システム。
【請求項１０】
前記リモートコントローラは、
周囲の光から警報器の警報用閃光を分光する分光フィルタ部と、
前記分光フィルタ部により分光された警報用閃光を受光する受光部と、を有し、
前記リモートコントローラの送信部は、前記受光部の出力に基づき、前記警報情報を前記照明器具に送信することを特徴とする請求項１乃至請求項９のいずれか一項に記載の照明システム。
【発明の詳細な説明】
【技術分野】
【０００１】
本発明は、警報器の警報音を集音するマイクの出力に基づいて照明器具の光源が点灯制御される照明システムに関する。
【背景技術】
【０００２】
従来より、照明器具が警報器の警報音に基づいて点灯制御される装置やシステムが知られている。例えば、電池と、火災報知器のベルの周波数を感知するセンサを内装した感知器と、感知器の作動で自動開閉する自動スイッチを介して電池に接続された照明器具とを有する消火器ボックスが知られている（例えば、特許文献１参照）。この消火器ボックスによれば、光により、警報の発生を報知できると共に、消火器の設置場所を表示できる。
【０００３】
また、センサアラームが監視エリア内の異常を検知するとスピーカにより警報音を発し、警報装置のマイクがその警報音を受音すると、この装置の制御部が照明器具の点灯、消灯、点滅制御等を行なう警報システムが知られている（例えば、特許文献２参照）。このシステムにおいて、照明器具の点灯制御は、警報装置の制御部から送出される制御信号に基づいて行なわれる。このシステムによれば、センサアラームの警報音による威嚇に加え、光による威嚇が可能となる。
【０００４】
また、警報音ではなく、人間の音声に応じて発光体が点灯制御されるライトが知られている（例えば、特許文献３参照）。このライトは、人間の音声で所定の音を受信するマイクロホンと、電源から発光体への供電をオン・オフするスイッチング素子と、マイクロホンの出力に基づいてスイッチング素子をオン・オフする制御回路とを備える。
【０００５】
しかしながら、特許文献１に記載の技術では、消火器ボックスの設置位置が、このボックスの大きさや、消火器を含めたその重量等のために限定されるので、警報音を感知可能な領域が限定される。さらに、感知器と照明器具とが１台の消火器ボックスに設けられているので、照明器具の光により警報が報知される領域が、感知器により警報音を感知可能な領域内やその領域周辺に限定される虞がある。また、特許文献２では、警報装置の大きさや重量等やその設置可能な位置を示す情報が開示されていない。このため、監視エリアすなわち警報装置により警報音を検知できる領域の位置や広さ等を特定することは難しい。また、特許文献３に記載の技術では、警報音に応じて照明器具を点灯制御することはできない。
【特許文献１】特開平８−２６６６６３号公報
【特許文献２】特開２００６−１６３８８３号公報
【特許文献３】特開平７−３２６４７８号公報
【発明の開示】
【発明が解決しようとする課題】
【０００６】
本発明は、上記の従来の問題を解決するためになされたものであり、警報器の警報音を検知可能な領域を広くすることができ、さらに、光により警報が報知される領域の設定自由度を高くすることができる照明システムを提供することを目的とする。
【課題を解決するための手段】
【０００７】
上記目的を達成するために請求項１の発明は、光源を有する照明器具と、警報器の警報音を含む周囲音を集音するマイクと、を備え、警報を使用者に報知するため、前記マイクの出力に基づいて前記光源が点灯制御される照明システムにおいて、使用者により携帯可能であり、無線信号を用いて前記照明器具を遠隔制御するリモートコントローラを備え、前記マイクは、前記リモートコントローラに搭載され、前記リモートコントローラは、前記マイクの出力を解析し、該マイクにより集音された周囲音の中に警報音が含まれているか否かを判断する解析部と、前記周囲音の中に警報音が含まれていると前記解析部により判断された場合に該解析部から送出される信号に基づき、警報情報を無線信号に重畳し、該無線信号を前記照明器具に送信する送信部と、を有し、前記照明器具は、前記リモートコントローラの送信部により送信された警報情報を受信する受信部と、前記受信部により受信された警報情報に基づき、警報を使用者に報知するため前記光源を点灯制御する点灯制御部と、を有するものである。
【０００８】
請求項２の発明は、請求項１に記載の照明システムにおいて、前記リモートコントローラは、他のリモートコントローラの送信部から送信された警報情報を受信する受信部を有し、前記リモートコントローラの送信部は、該リモートコントローラの受信部により受信された警報情報を前記照明器具に送信し、前記照明器具は、該照明器具の受信部により受信された警報情報を他の照明器具に送信する送信部を有し、前記照明器具の受信部は、他の照明器具の送信部から送信された警報情報を受信するものである。
【０００９】
請求項３の発明は、請求項１又は請求項２に記載の照明システムにおいて、外部端末と通信回線を介して接続された通信機器を備え、前記通信機器は、前記リモートコントローラの送信部から送信された警報情報を受信する受信部と、前記受信部により受信された警報情報を前記通信回線を介して前記外部端末に送信する送信部と、を有するものである。
【００１０】
請求項４の発明は、請求項１乃至請求項３のうちいずれか一項に記載の照明システムにおいて、前記照明器具を含む家電機器と電気的に接続され、且つ、外部端末と通信回線を介して接続され、該家電機器を一括制御するホームサーバをさらに備え、前記リモートコントローラと照明器具の両方または一方は、人を検知する人感センサを有し、前記リモートコントローラと照明器具の両方または一方の送信部は、前記警報情報及び前記人感センサからの出力に応じた人検知情報を無線信号に重畳し、該無線信号を前記ホームサーバに送信し、前記ホームサーバは、前記リモートコントローラと照明器具の両方または一方の送信部から送信された警報情報及び人検知情報を受信する受信部と、前記受信部により受信された警報情報及び人検知情報を前記通信回線を介して前記外部端末に送信する送信部と、前記受信部により受信された警報情報及び人検知情報に基づき、使用者に避難経路を認知させるように前記家電機器を連動制御するため該家電機器に制御信号を送信する家電制御部と、を有することを特徴とするものである。
【００１１】
請求項５の発明は、前記リモートコントローラは、請求項１乃至請求項４のいずれか一項に記載の照明システムにおいて、前記マイクにより集音された周囲音の中に警報音が含まれているか否かを前記解析部が判断する際に、該解析部により参照され、該判断の基となる判断基準を記憶する記憶部を有し、前記記憶部は、前記判断基準を変更可能に記憶しているものである。
【００１２】
請求項６の発明は、請求項５に記載の照明システムにおいて、前記リモートコントローラの記憶部により記憶される判断基準には、警報器から警報内容別に発音される警報音の種類を判別するための判別パラメータが含まれ、前記リモートコントローラの解析部は、前記マイクの出力を解析し、該マイクにより集音された周囲音の中に含まれる警報音の種類を前記判別パラメータを参照して判別し、該判別の結果に応じた信号を該リモートコントローラの送信部に送出し、前記リモートコントローラの送信部は、前記判別の結果に応じた前記解析部からの信号に基づき、警報音の種類を示す警報音種類情報を前記警報情報に重畳して前記照明器具とホームサーバの両方または一方に送信し、前記照明器具の点灯制御部とホームサーバの家電制御部の両方または一方は、警報器からの警報内容を使用者に通知するため、前記警報音種類情報に基づいて前記光源と家電機器の両方または一方を制御するものである。
【００１３】
請求項７の発明は、請求項１乃至請求項６のいずれか一項に記載の照明システムにおいて、前記リモートコントローラは、発光部と、前記マイクにより集音された周囲音の中に警報音が含まれていると前記解析部により判断された場合に該解析部から送出される信号に基づき、前記発光部を発光制御する発光制御部と、前記発光部及び発光制御部に電力を供給する電池と、を有するものである。
【００１４】
請求項８の発明は、請求項１乃至請求項７のいずれか一項に記載の照明システムにおいて、前記照明器具は、スピーカと、該照明器具の受信部により受信された警報情報に基づき、警報を使用者に報知するために前記スピーカから音を発するか否かを制御する発音制御部と、を有するものである。
【００１５】
請求項９の発明は、請求項４乃至請求項８のいずれか一項に記載の照明システムにおいて、前記ホームサーバは、スピーカと、該ホームサーバの受信部により受信された警報情報に基づき、警報を使用者に報知するために前記スピーカから音を発するか否かを制御する発音制御部と、を有するものである。
【００１６】
請求項１０の発明は、請求項１乃至請求項９のいずれか一項に記載の照明システムにおいて、前記リモートコントローラは、周囲の光から警報器の警報用閃光を分光する分光フィルタ部と、前記分光フィルタ部により分光された警報用閃光を受光する受光部と、を有し、前記リモートコントローラの送信部は、前記受光部の出力に基づき、前記警報情報を前記照明器具に送信するものである。
【発明の効果】
【００１７】
請求項１の発明によれば、リモートコントローラは、警報音を集音するマイクを有すると共に、使用者により携帯可能であるため、警報器の警報音を検知可能な範囲を広くすることができる。また、上記のマイクと、マイクの出力に基づき警報を使用者に報知するため点灯制御される光源とは、それぞれ別の機器に設けられているので、光により警報が報知される領域の設定自由度を高くすることができる。
【００１８】
請求項２の発明によれば、リモートコントローラ間及び照明器具間で警報情報が無線信号により伝送されるので、使用者が警報音を聞くことができない場所に居たとしても、その使用者の近傍に照明器具が配置されていた場合、その使用者に警報を報知できる。
【００１９】
請求項３の発明によれば、使用者が建物外に居たとしても、その使用者が外部端末を携帯していた場合、その使用者に警報を報知できる。
【００２０】
請求項４の発明によれば、使用者が建物外に居たとしても、その使用者が外部端末を携帯していた場合、建物内に他の使用者が居るか否かをその使用者に通知することができる。また、建物内に他の使用者が居た場合、その使用者を避難誘導することができ、その使用者の安全を確保することができる。
【００２１】
請求項５の発明によれば、警報器やその周辺環境に応じて判断基準を変更することができるので、誤報や報知漏れを防止できる。
【００２２】
請求項６の発明によれば、警報器から警報内容別に発音される警報音の種類に応じて、照明器具の光源が点灯制御され及び／又は家電機器が制御されるので、使用者が警報内容を認知することができる。
【００２３】
請求項７の発明によれば、警報器から警報音が発せられたとき、リモートコントローラの発光部は電池により発光されるので、停電が発生した場合においても、使用者は明るさを確保することができる。
【００２４】
請求項８の発明によれば、照明器具のスピーカがリモートコントローラからの警報情報に基づいて音を発するので、音を用いて警報をより確実に使用者に報知できる。
【００２５】
請求項９の発明によれば、ホームサーバのスピーカがリモートコントローラからの警報情報に基づいて音を発するので、音を用いて警報をより確実に使用者に報知できる。
【００２６】
請求項１０の発明によれば、警報器が警報を閃光により報知した場合であっても、リモートコントローラは警報情報を生成することができるので、この警報情報に応じて照明器具の光源を点灯制御することにより、警報をより確実に使用者に報知できる。
【発明を実施するための最良の形態】
【００２７】
以下、本発明の各種実施形態に係る照明システムについて図面を参照して説明する。
（第１の実施形態）
図１及び図２は、第１の実施形態に係る照明システムの構成を示す。この照明システム１は、リモートコントローラ（以下、リモコンと称す）２により遠隔制御される照明器具３を備え、住居などの建物内に設けられる。照明器具３には、商用電源から電力が供給される。上記の遠隔制御は無線信号を用いて行われる。
【００２８】
リモコン２は、周囲音を集音するマイク２１を搭載している。この周囲音には、火災報知器１０等の警報器から発せられる警報音が含まれる。さらに、リモコン２は、マイク２１の出力を解析し、マイク２１により集音された周囲音の中に警報音が含まれているか否かを判断する解析部２２と、この判断の基となる判断基準を記憶する記憶部２３と、解析部２２から送出される信号に基づき、照明器具３との間の通信制御を行なう通信制御部２４と、通信制御部２４により制御され、警報情報を照明器具に送信する送信部２５と、マイク２１及び上記各部に電力を供給する電池２６とを有する。
【００２９】
また、リモコン２は、使用者により携帯可能に形成されている。このリモコン２の大きさや重さは、使用者が携帯可能な程度である。また、その形状は、例えば使用者がこのリモコン２を把持して携帯し易いものである。このため、使用者はリモコン２を自由に持ち運び、自由な場所に載置又は設置することができる。以下、リモコン２の各部の構成を詳細に説明する。
【００３０】
解析部２２は、ＣＰＵを搭載したマイクロコンピュータ（以下、マイクロコンピュータという）により構成される。このマイクロコンピュータは、周囲音に応じてマイク２１から送出される電圧信号又は電流信号を受信し、この信号を解析することにより、周囲音の中に警報音が含まれているか否かを判断する。この判断の際、解析部２２は、記憶部２３にアクセスし、記憶部２３に記憶されている判断基準を参照し、この判断基準を基に上記の判断を行なう。解析部２２は、周囲音の中に警報音が含まれていると判断した場合、警報情報を使用者に報知するために照明器具３の光源３１を点灯制御することを目的として、警報が発せられていることを示す警報情報を生成すると共に、その送信を指示する指示信号を通信制御部２４に送出する。
【００３１】
記憶部２３は、ＲＡＭ又はＲＯＭ等のメモリにより構成される。このメモリは、マイク２１により集音された周囲音の中に警報音が含まれているか否かを解析部２２が判断する際に、その判断の基となる判断基準を記憶している。この判断基準は、音量や音の周波数、又は音の鳴る周期等に基づいて設定されている。例えば、音量により周囲音中の警報音の有無が判断される場合、「周囲音の音量が８５ｄＢ以上となったとき、警報音が鳴っているとみなす」という判断基準が設定されている。また、音の周波数により判断される場合、「周囲音の周波数成分のうち５００〜１０００Ｈｚの周波数成分が所定の閾値を超えたとき、警報音が発せられているとみなす」という判断基準が設定されている。また、音の鳴る周期により判断される場合、「周囲音の中に毎秒３〜５回の周期で発せられる音があるとき、警報音とみなす」という判断基準が設定されている。判断基準は、１つの基準、例えば音量に関する基準から成るものであっても、複数の基準、例えば音量、音の周波数及び音の鳴る周期に関する基準から成るものであってもよい。
【００３２】
また、記憶部２３は、上記の判断基準を変更可能に記憶している。この変更は、例えば、使用者による判断基準の再設定により行なわれる。この再設定は、例えば、リモコン２に設けられたボタン等の操作部（図示せず）や、リモコン２に接続されたパーソナルコンピュータ等の外部機器を使用者が操作することにより行なわれる。上記のように判断基準は変更可能であるため、警報器やその周辺環境に応じて判断基準を変更することができるので、誤報や報知漏れを防止できる。
【００３３】
通信制御部２４は、マイクロコンピュータにより構成される。このマイクロコンピュータは、解析部２２から送出された上記の指示信号に基づき、警報情報を照明器具３に送信させるように送信部２５を制御する。送信部２５は、例えば赤外線又は特定小電力電波を用いた無線信号の送信が可能な送信回路（以下、第１送信回路という）により構成されている。この第１送信回路は、通信制御部２４により制御されて無線信号に警報情報を重畳し、この無線信号を照明器具３に送信する。警報情報が重畳された無線信号は、例えば、警報報知用の所定の信号であっても、照明器具３に光源３１の点灯及び消灯を繰り返すように指示する信号や、光源３１の調光制御を指示する信号であってもよい。なお、通信制御部２４を構成するマイクロコンピュータは、解析部２２を構成するものと同一であってもよい。
【００３４】
一方、照明器具３は、光源３１と、リモコン２の送信部２５により送信された警報情報を受信する受信部３２と、リモコン２間との通信制御を行なう通信制御部３３と、受信部３２により受信され、通信制御部３３から入力された警報情報に基づき、警報を使用者に報知するため光源３１を点灯制御する点灯制御部３４とを有する。以下、リモコン２及び照明器具３の上記各部の構成を詳細に説明する。以下、照明器具３の各部の構成を詳細に説明する。
【００３５】
光源３１は、例えばランプにより構成される。受信部３２は、例えば赤外線又は特定小電力電波から成る無線信号の受信が可能な受信回路（以下、第１受信回路という）により構成されている。この第１受信回路は、リモコン２の送信部２５により警報情報が重畳されて送信された無線信号を受信する。さらに、第１受信回路は、受信した無線信号から警報情報を抽出して通信制御部３３に送出する。
【００３６】
通信制御部３３は、マイクロコンピュータにより構成される。このマイクロコンピュータは、受信部３２により送出された警報情報を点灯制御部３４に転送する。点灯制御部３４は、マイクロコンピュータと、このマイクロコンピュータにより制御され、光源３１を点灯させる点灯回路とにより構成される。このマイクロコンピュータは、通信制御部３３により転送された警報情報に基づいて点灯回路を制御し、光源３１に点灯及び消灯を繰り返させたり、光源３１を調光制御することによりその光量を増減させたりする。このような光源３１の点灯制御により、警報が使用者に報知される。
【００３７】
ここで、警報器が警報音を発した場合における照明システム１の警報報知動作の一例を説明する。本例においては、建物内に警報器として例えば火災報知器１０が既設されており、この火災報知器１０が火災を検知し、火災を報知する警報音を発したとする。
【００３８】
まず、リモコン２の解析部２２が、記憶部２３にアクセスすると共に、記憶部２３に記憶されている判断基準に基づき、マイク２１により集音された周囲音の中に警報音が含まれていると判断する。この判断結果に基づき、解析部２２は、警報情報を生成すると共に、その送信を指示する指示信号を通信制御部２４に送出する。通信制御部２４は、送信部２５を制御することにより、解析部２２からの指示信号に基づき、警報情報が重畳された無線信号を照明器具３に送信する。
【００３９】
次に、照明器具３の受信部３２が、リモコン２から送信された無線信号を受信し、受信した無線信号から警報情報を抽出して通信制御部３３に送出する。通信制御部３３は、この警報情報を点灯制御部３４に転送する。点灯制御部３４は、通信制御部３３からの警報情報に基づき、警報を使用者に報知するため光源３１を点灯又は点滅させたり、光源３１の光量を増減させたりする。このようにして、警報を使用者に報知するため、リモコン２のマイク２１の出力に基づいて照明器具３の光源３１が点灯制御される。
【００４０】
上記構成においては、リモコン２が、警報音を集音するマイク２１を有すると共に、使用者により携帯可能であるため、火災報知器１０の警報音を検知可能な範囲を広くすることができる。また、マイク２１はリモコン２に搭載されており、警報を使用者に報知するため点灯制御される光源３１は照明器具３に搭載されており、マイク２１と光源３１とは、それぞれ別の機器に設けられているので、光により警報が報知される領域の設定自由度を高くすることができる。また、照明器具３は、部屋等の天井の中央に設置されるものであるため、部屋や廊下の隅等に設置されている警報器よりも確実に警報を使用者に報知できる。
【００４１】
（第２の実施形態）
図３及び図４は、第２の実施形態に係る照明システム１の構成を示す。第１の実施形態と同一の部材には、同一の符号を付す（以下、同様）。本実施形態に係る照明システム１の構成は、第１の実施形態と比べ、リモコン２が、他のリモコン２の送信部２５から送信された警報情報を受信する受信部２７をさらに有し、また、照明器具３が、その受信部３２により受信された警報情報を他の照明器具３に送信する送信部３５をさらに有する点で相違がある。この相違する部分の構成に基づき、照明システム１においては、リモコン２間と、照明器具３間とで警報情報が授受される。以下、リモコン２及び照明器具３の構成を詳細に説明する。
【００４２】
リモコン２の受信部２７は、上記の第１受信回路により構成されている。この第１受信回路は、他のリモコン２の送信部２５により警報情報が重畳されて送信された無線信号を受信する。さらに、上記の受信回路は、受信した無線信号から警報情報を抽出して通信制御部２４に送出する。
【００４３】
リモコン２の通信制御部２４は、受信部２７により送出された警報情報を照明器具３又はさらに他のリモコン２に送信するように送信部２５を制御する。送信部２５は、通信制御部２４により制御されて無線信号に上記の警報情報を重畳し、この無線信号を照明器具３又はさらに他のリモコン２に送信する。
【００４４】
照明器具３の送信部３５は、例えばＲＦ信号や赤外線又は特定小電力電波を用いた無線信号の送信、若しくは電力線等の有線を介した電気信号の送信が可能な送信回路（以下、第２送信回路という）により構成されている。この第２送信回路は、通信制御部３３により制御されて無線信号、ＲＦ信号又は電気信号（以下、無線信号等という）に警報情報を重畳し、この無線信号等を他の照明器具３に送信する。
【００４５】
照明器具３の受信部３２は、例えばＲＦ信号や赤外線又は特定小電力電波から成る無線信号の受信、若しくは電力線等の有線を介した電気信号の受信が可能な受信回路（以下、第２受信回路という）により構成されている。この第２受信回路は、第１の実施形態と同様にリモコン２の送信部２５から送信された無線信号を受信すると共に、他の照明器具３の送信部３５により警報情報が重畳されて送信された無線信号等を受信する。さらに、第２受信回路は、受信した無線信号等から警報情報を抽出して通信制御部３３に送出する。
【００４６】
ここで、警報器が警報音を発した場合における照明システム１の警報報知動作の一例を説明する。本例においては、警報器である火災報知器１０が火災を検知し、火災を報知する警報音を発したとする。また、２台のリモコン２をそれぞれリモコン２Ａ、２Ｂと称し、３台の照明器具３をそれぞれ、照明器具３Ａ、３Ｂ、３Ｃと称する。さらに、リモコン２Ａのマイク２１が警報音を集音したとする。
【００４７】
まず、リモコン２Ａの通信制御部２４が、警報情報の重畳された無線信号を、送信部２５を制御することにより、第１の実施形態と同様に照明器具３Ａに送信する（矢印（Ａ）で示す）。さらに、この通信制御部２４が、上記の無線信号をリモコン２Ｂに送信する（矢印（Ｂ）で示す）。このようにして、リモコン２間で警報情報の授受が行なわれる。
【００４８】
照明器具３Ａの受信部３２は、リモコン２から送信された無線信号を受信し、この無線信号から警報情報を抽出して通信制御部３３に送出する。通信制御部３３は、この警報情報を点灯制御部３４に転送すると共に、この警報情報を照明器具３Ｂに送信するように送信部３５を制御する。送信部３５は、通信制御部３３により制御されて無線信号等に上記の警報情報を重畳し、この無線信号等を照明器具３Ｂに送信する（矢印（Ｃ）で示す）。このようにして、照明器具３間で警報情報の授受が行なわれる。照明器具３Ａの点灯制御部３４は、警報情報に基づいて光源３１を点灯制御する。この点灯制御により、照明器具３Ａ近傍の使用者に警報が報知される。
【００４９】
照明器具３Ｂの受信部３２は、照明器具３Ａから送信された無線信号等を受信し、この無線信号等から警報情報を抽出して通信制御部３３に送出する。通信制御部３３は、この警報情報を点灯制御部３４に転送する。点灯制御部３４は、警報情報に基づいて光源３１を点灯制御する。この点灯制御により、照明器具３Ｂ近傍の使用者に警報が報知される。
【００５０】
リモコン２Ｂの受信部２７は、リモコン２Ａから送信された無線信号を受信し、受信した無線信号から警報情報を抽出して通信制御部２４に送出する。通信制御部２４は、送信部２５を制御し、この警報情報を照明器具３Ｃに送信する（矢印（Ｄ）で示す）。
【００５１】
照明器具３Ｃの受信部３２は、リモコン２Ｂから送信された無線信号を受信する。照明器具３Ａ，３Ｂと同様に、照明器具３Ｃの点灯制御部３４は、無線信号に重畳されている警報情報に基づいて光源３１を点灯制御する。この点灯制御により、照明器具３Ｃ近傍の使用者に警報が報知される。
【００５２】
本実施形態においては、第１の実施形態による効果を得ることができると共に、リモコン２間及び照明器具３間で警報情報が無線信号により伝送されるので、使用者が警報音を聞くことができない場所に居たとしても、その使用者の近傍に照明器具３が配置されていた場合、その使用者に警報を報知できる。また、照明器具は一般に建物内の部屋や廊下等の様々な場所に設置されるものであるため、この照明器具を本発明の照明器具３に置換し、リモコン２を建物内に設けるだけで照明システム１を構築することができる。このため、照明システム１に伴って建物内の景観が損なわれることを防止できる。
【００５３】
（第３の実施形態）
図５及び図６は、第３の実施形態に係る照明システム１の構成を示す。この構成は、第１及び第２の実施形態と比べ、照明システム１が、携帯電話機１１等の外部端末と電気通信回線１２を介して接続された通信機器４をさらに備える点で異なる。この通信機器４は、リモコン２との間で警報情報を授受し、この警報情報を外部端末に送信する。通信機器４は、例えば、電話機又はパーソナルコンピュータにより構成される。この通信機器４には、商用電源から電力が供給されている。以下、通信機器４の構成を詳細に説明する。
【００５４】
通信機器４は、リモコン２の送信部２５により送信された警報情報を受信する受信部４１と、受信部４１により受信された警報情報を電気通信回線１２を介して携帯電話機１１に送信する送信部４２と、受信部４１及び送信部４２を制御することにより、リモコン２との間及び携帯電話機１１との間の通信制御を行なう通信制御部４３とを有する。
【００５５】
受信部４１は、上記の第１受信回路により構成されている。この第１受信回路は、リモコン２の送信部２５により警報情報が重畳されて送信された無線信号を受信する。さらに、第１受信回路は、受信した無線信号から警報情報を抽出して通信制御部４３に送出する。
【００５６】
通信制御部４３は、マイクロコンピュータにより構成される。このマイクロコンピュータは、受信部４１から送出された警報情報に基づき、警報情報の携帯電話機１１への送信を指示する指示信号を送信部４２に送信する。この指示信号には、警報情報の送信先として予め設定されている携帯電話機１１のアドレスを示す情報が含まれている。
【００５７】
送信部４２は、例えばインターネット等の電気通信回線１２を介してメールを携帯電話機１１に送信可能な送信回路（以下、第３送信回路という）により構成されている。この第３送信回路は、上記の指示信号を通信制御部４３から受信し、この指示信号に基づいてメールに警報情報を重畳し、このメールを携帯電話機１１に送信する。
【００５８】
本実施形態においては、第１及び第２の実施形態による効果を得ることができると共に、警報器が警報音を発したとき、通信機器４が、警報情報を重畳したメールを携帯電話機１１に送信するので、使用者が建物外に居たとしても、その使用者が携帯電話機１１を携帯していた場合、その使用者に警報を報知できる。
【００５９】
図７は、照明システム１の変形例の構成を示す。この照明システム１の構成は、上記第３の実施形態と比べ、照明器具３と通信機器４との間で警報情報の授受が行なわれる点で異なる。以下、照明器具３及び通信機器４の構成を詳細に説明する。
【００６０】
照明器具３の通信制御部３３は、送信部３５を制御することにより、リモコン２からの警報情報を通信機器４に送信する。このとき、警報情報は、送信部３５により電気信号に重畳され、電力線等の有線を介して通信機器４に送信される。
【００６１】
通信機器４の受信部４１は、例えば電力線等の有線を介した電気信号の受信が可能な受信回路により構成されている。この受信回路は、照明器具３の送信部３５により警報情報が重畳されて送信された電気信号を受信する。さらに、上記の受信回路は、受信した電気信号から警報情報を抽出して通信制御部４３に送出する。通信制御部４３は、受信部４１からの警報情報に基づき、送信部４２により警報情報をメールを用いて携帯電話機１１に送信する。本変形例においても、第３の実施形態と同様の効果を得ることができる。
【００６２】
（第４の実施形態）
図８及び図９は、第４の実施形態に係る照明システム１の構成を示す。この構成は、第１乃至第３の実施形態と比べ、照明システム１が、照明器具３を含む家電機器と電気的に接続され、家電機器を一括制御するホームサーバ５をさらに備える点で異なる。また、リモコン２及び照明器具３がそれぞれ、人を検知する人感センサ２８、３６をさらに有し、人検知情報をホームサーバ５に送信する点で異なる。ホームサーバ５は、リモコン２及び照明器具３からの人検知情報に応じて、家電機器を連動制御する。また、ホームサーバ５は、携帯電話機１１等の外部端末と通信回線１２を介して接続されており、人検知情報を外部端末に送信する。このホームサーバ５には、商用電源から電力が供給されている。以下、リモコン２、照明器具３及びホームサーバ５の構成を詳細に説明する。
【００６３】
リモコン２の人感センサ２８は検知出力を通信制御部２４に送出する。通信制御部２４は、人感センサ２８からの検知出力に応じた人検知情報を生成し、自身の位置を示す位置情報とこの人検知情報をホームサーバ５に送信するように送信部２５を制御する。送信部２５は、人検知情報及び位置情報を無線信号に重畳し、この無線信号をホームサーバ５に送信する。また、送信部２５は、マイク２１が警報音を集音した場合、警報情報を無線信号に重畳してホームサーバ５に送信する。
【００６４】
照明器具３の人感センサ３６は検知出力を通信制御部３３に送出する。通信制御部３３は、人感センサ３６からの検知出力に応じた人検知情報を生成し、自身の位置を示す位置情報とこの人検知情報をホームサーバ５に送信するように送信部３５を制御する。送信部３５は、通信制御部３３により制御されて無線信号等に人検知情報及び位置情報を重畳し、この無線信号等をホームサーバ５に送信する。また、送信部３５は、受信部３２がリモコン２からの警報情報を受信した場合、警報情報を無線信号等に重畳してホームサーバ５に送信する。点灯制御部３４は、人感センサ３６及びリモコン２の人感センサ２８の検知出力に応じて光源３１を点灯制御してもよい。
【００６５】
ホームサーバ５は、リモコン２の送信部２５又は照明器具３の送信部３５から送信された警報情報、人検知情報及び位置情報を受信する受信部５１と、受信部５１により受信された警報情報、位置情報及び人検知情報に基づき、照明器具３等の家電機器を連動制御するため家電機器に制御信号を送信する家電制御部５２とを有する。
【００６６】
さらに、ホームサーバ５は、家電制御部５２からの信号に基づき、警報情報及び人検知情報を電気通信回線１２を介して携帯電話機１１等の外部端末に送信すると共に、家電制御部５２からの制御信号を家電機器に送信する送信部５３と、受信部５１及び送信部５３を制御することにより、リモコン２との間、照明器具３を含む家電機器との間及び携帯電話機１１との間の通信制御を行なう通信制御部５４とを有する。
【００６７】
受信部５１は、上記の第２受信回路により構成されている。この第２受信回路は、リモコン２の送信部２５又は照明器具３の送信部３５から送信された無線信号等を受信する。さらに、上記の受信回路は、受信した無線信号等から警報情報、位置情報及び人検知情報を抽出して通信制御部５４に送出する。
【００６８】
家電制御部５２は、マイクロコンピュータにより構成される。このマイクロコンピュータは、通信制御部５４から転送された警報情報、位置情報及び人検知情報に基づいて、使用者に避難経路を認知させるように家電機器を制御するための制御信号を通信制御部５４に送出する。
【００６９】
通信制御部５４は、マイクロコンピュータにより構成される。このマイクロコンピュータは、受信部５１から送出された警報情報に基づき、警報情報及び人検知情報の携帯電話機１１への送信を指示する指示信号を送信部５３に送信する。この指示信号には、警報情報の送信先として予め設定されている携帯電話機１１のアドレスを示す情報が含まれている。また、通信制御部５４は、家電制御部５２からの制御信号を送信部５３に転送する。なお、通信制御部５４を構成するマイクロコンピュータは、家電制御部５２を構成するものと同一であってもよい。
【００７０】
送信部５３は、上記の第２及び第３送信回路により構成されている。第２送信回路は、通信制御部５４により転送された家電制御部５２からの制御信号を無線信号に変換し、この無線信号を制御対象の家電機器に送信する。第３送信回路は、上記の指示信号を通信制御部４３から受信し、この指示信号に基づいてメールに警報情報及び人検知情報を重畳し、このメールを携帯電話機１１に送信する。例えば、警報情報及び人検知情報は、テキスト情報としてメールに含まれる。
【００７１】
ここで、照明システム１の動作の一例を説明する。まず、平常時における照明システム１の動作を説明する。照明器具３において、点灯制御部３４は、人感センサ３６の検知出力に応じて光源３１を点灯制御する。照明器具の通信制御部３３及びリモコン２の通信制御部２４は、人感センサ３６、２８からの検知出力に応じて、人検知情報及び自身の位置情報を送信部３５、２５からホームサーバ５に送信する。人検知情報及び位置情報は、建物内に人が居ることと、建物内におけるその人の位置とを示している。ホームサーバ５において、受信部５１は、照明器具３又はリモコン２からの人検知情報及び位置情報を受信する。家電制御部５２は、人検知情報及び位置情報を記憶する。
【００７２】
次に、火災報知器１０が警報音を発した場合における照明システム１の警報報知動作を説明する。照明器具３の光源３１が警報を報知するため点灯制御される動作については第１及び第２の実施形態に記載の通りである。
【００７３】
ホームサーバ５において、受信部５１は、リモコン２又は照明器具３から警報情報を受信する。家電制御部５２は、受信部５１による警報情報の受信をトリガとし、通信制御部５４及び送信部５３を介して、使用者に避難経路を認知させるように家電機器を制御する。この家電制御部５２による家電機器制御は、家電制御部５２が記憶している人検知情報及び位置情報に応じて実行される。例えば、家電制御部５２は、人が居る位置に応じて、避難経路となる部屋や廊下等に配置された照明器具３を特定し、その照明器具３を警報報知用のパターンで点滅するように点灯制御する。このようにして、照明システム１の使用者が避難誘導される。
【００７４】
また、家電制御部５２は、受信部５１による警報情報の受信をトリガとし、通信制御部５４及び送信部５３を介して、人検知情報及び警報情報を携帯電話機１１に送信する。人検知情報及び警報情報はメールを媒体として携帯電話機１１に伝送される。このようにして、宅外の使用者に、警報が報知されると共に、建物内に人が居るか否かが通知される。
【００７５】
本実施形態においては、第１乃至第３の実施形態による効果を得ることができると共に、警報器が警報音を発したとき、ホームサーバ５が、人検知情報を重畳したメールを携帯電話機１１に送信するので、使用者が建物外に居たとしても、その使用者が携帯電話機１１を携帯していた場合、建物内に他の使用者が居るか否かをその使用者に通知することができる。また、ホームサーバ５は、人検知情報に応じて、使用者に避難経路を認知させるように家電機器を連動制御するので、建物内に他の使用者が居た場合、その使用者を避難誘導することができる。このため、その使用者の安全を確保することができる。
【００７６】
（第５の実施形態）
図１０は、第５の実施形態に係る照明システム１におけるリモコン２の記憶部２３に格納されている制御テーブルＴを示す。本実施形態に係る照明システム１は、第４の実施形態と比べ、警報器から警報内容別に発音される警報音の種類が判別され、警報音の種類に応じて家電機器が制御される点で異なる。上記の制御テーブルＴには、警報音の種類を判別するための判別パラメータが収められている。この判別パラメータは、周囲音の中に警報音が含まれているか否かを解析部２２が判断する際に、その判断の基となる判断基準としての役割も果たす。以下、照明システム１の構成を詳細に説明する。
【００７７】
上記の制御テーブルＴにおいては、一例として、警報音の音量と、その周波数と、警報音が鳴る周期との組み合わせ別に、警報内容と、照明器具３の点灯パターンと、外部端末への通報の要否とが設定されている。例えば、音量が「７０ｄＢ以上」であり、周波数が「２０００Ｈｚ」であり、且つ、鳴る周期が「毎秒５回」である音は、「火災警報」用の警報音として登録されている。さらに、この警報音は、照明器具３の火災報知用の点灯パターンとして「点滅パターン１」と対応付けされ、さらに、この警報音が鳴った場合には、外部端末への通報の必要「あり」と登録されている。記憶部２３は、第１の実施形態における判断基準の変更方法と同様の方法により、制御テーブルＴの内容を変更可能に記憶している。また、制御テーブルＴは、使用者によるホームサーバ５の操作部（図示せず）の操作に基づくホームサーバ５とリモコン２との間の通信により変更可能であってもよい。
【００７８】
リモコン２の解析部２２は、マイク２１からの出力に基づき、その出力を解析し、マイク２１により集音された周囲音の中に警報音が含まれているか否かを判断すると共に、周囲音に含まれる警報音の種類を記憶部２３の制御テーブルＴを参照して判別する。また、解析部２２は、警報音の種類すなわち警報内容を使用者に報知するために照明器具３やその他の家電機器を制御することを目的とし、上記の判別の結果に応じて、警報内容と、照明器具３の点灯パターンと、外部端末への通報の必要の有無とを示す警報音種類情報を生成する。さらに、解析部２２は、警報音種類情報を警報情報に重畳し、この警報情報の送信を指示する指示信号を通信制御部２４に送出する。通信制御部２４は、解析部２２からの指示信号に基づき、警報情報を照明器具３に送信させるように送信部２５を制御する。送信部２５は、通信制御部２４により制御されて無線信号に警報情報を重畳し、この無線信号を照明器具３及びホームサーバ５に送信する。
【００７９】
照明器具３の点灯制御部３４は、受信部３２及び通信制御部３３を介して得た、リモコン２からの警報音種類情報に基づき、この警報音種類情報において示される点灯パターンで光源３１を点灯制御する。さらに、ホームサーバ５の家電制御部５２は、受信部５１及び通信制御部５４を介して得た、リモコン２からの警報音種類情報に基づき、家電機器を制御する。例えば、家電制御部５２は、警報音種類情報に基づき、外部端末への通報や制御対象の家電機器の選択を行なう。
【００８０】
本実施形態においては、第４の実施形態による効果を得ることができると共に、警報器から警報内容別に発せられる警報音の種類に応じて、照明器具３の光源３１が点灯制御されると共に、家電機器が制御されるので、使用者が警報内容を認知することができる。このため、使用者は警報内容に応じて対応することができる。
【００８１】
（第６の実施形態）
図１１（ａ）（ｂ）は、第６の実施形態に係る照明システム１のリモコン２及びホームサーバ５の構成を示す。本実施形態に係る照明システム１の構成は、第４及び第５の実施形態と比べ、リモコン２が、周囲音の中に警報音が含まれる場合に発光する発光部２９ａをさらに有し、ホームサーバ５が、警報情報に基づいて発光する発光部５５ａをさらに有する点で異なる。以下、リモコン２及びホームサーバ５の構成を詳細に説明する。
【００８２】
リモコン２は、液晶素子、ＬＥＤ、有機ＥＬ等の発光素子により構成される発光部２９ａと、発光部２９ａを発光制御する発光制御部２９ｂとを有する。発光制御部２９ｂは、マイクロコンピュータにより構成されている。このマイクロコンピュータは、マイク２１により集音された周囲音の中に警報音が含まれていると解析部２２により判断された場合に解析部２２から送出される信号に基づき、発光部２９ａを発光制御する。発光部２９ａ及び発光制御部２９ｂには、電池２６から電力が供給される。
【００８３】
ホームサーバ５は、リモコン２の発光部２９ａと同様の構成を有する発光部５５ａと、発光部５５ａを発光制御する発光制御部５５ｂと、これらを含むホームサーバ５の各部に電力を供給する二次電池５６とを有する。発光制御部５５ｂは、マイクロコンピュータにより構成されている。このマイクロコンピュータは、通信制御部５４が受信部５１により受信し、且つ、通信制御部５４から自身に送出された警報情報に基づき、発光部５５ａを発光制御する。
【００８４】
本実施形態においては、第４及び第５の実施形態による効果を得ることができると共に、警報器から警報音が発せられたとき、リモコン２及びホームサーバ５の発光部２９ａ、５５ａは、電池２６及び二次電池５６により発光されるので、停電が発生した場合においても、使用者は明るさを確保することができる。このため、使用者は安全に避難することができる。
【００８５】
（第７の実施形態）
図１２（ａ）（ｂ）は、第７の実施形態に係る照明システム１の照明器具３及びホームサーバ５の構成を示す。本実施形態に係る照明システム１の構成は、第４乃至第６の実施形態と比べ、照明器具３及びホームサーバ５が、それぞれ、警報情報に基づいて音を発するスピーカ３７ａ、５７ａをさらに有する点で異なる。以下、照明器具３及びホームサーバ５の構成を詳細に説明する。
【００８６】
照明器具３は、スピーカ３７ａと、このスピーカ３７ａから音を発するか否かを制御する発音制御部３７ｂとを有する。発音制御部３７ｂは、マイクロコンピュータにより構成されている。このマイクロコンピュータは、受信部３２により受信され、且つ、通信制御部３３から送出された警報情報に応じて、スピーカ３７ａから音を発するようにスピーカ３７ａを制御する。この制御によりスピーカ３７ａから「火災が発生しました。避難してください」等の音が発せられ、警報が使用者に報知される。
【００８７】
ホームサーバ５は、スピーカ５７ａと、このスピーカ５７ａから音を発するか否かを制御する発音制御部５７ｂとを有する。発音制御部５７ｂは、マイクロコンピュータにより構成されている。このマイクロコンピュータは、受信部５１により受信され、且つ、通信制御部５４から送出された警報情報に応じて、スピーカ５７ａから音を発するようにスピーカ５７ａを制御する。この発音制御によっても、照明器具３と同様に、警報が使用者に報知される。
【００８８】
本実施形態においては、第４乃至第６の実施形態による効果を得ることができると共に、照明器具３及びホームサーバ５のスピーカ３７ａ、５７ａがリモコン２からの警報情報に基づいて音を発するので、この音を用いて警報をより確実に使用者に報知できる。
【００８９】
（第８の実施形態）
図１３は、第８の実施形態に係る照明システム１のリモコン２の構成を示す。本実施形態に係る照明システム１は、第１乃至第７の実施形態と比べ、リモコン２が、さらに、警報器からの警報用閃光に基づいて警報情報を照明器具３に送信する点で異なる。
【００９０】
リモコン２は、周囲の光から警報器の警報用閃光を分光する分光フィルタ部６１ａと、この分光フィルタ部６１ａにより分光された警報用閃光を受光する受光部６１ｂとを有する。分光フィルタ部６１ａは分光フィルタにより構成されている。受光部６１ｂは、この分光フィルタにより分光された光を受光する受光素子により構成されている。
【００９１】
解析部２２は、受光部６１ｂからの出力に基づき、警報情報を生成すると共に、その送信を指示する指示信号を通信制御部２４に送出する。通信制御部２４は、解析部２２から送出された上記の指示信号に基づき、警報情報を照明器具３に送信させるように送信部２５を制御する。送信部２５は、通信制御部２４により制御されて無線信号に警報情報を重畳し、この無線信号を照明器具３に送信する。無線信号の送信先は、照明器具３に限定されず、通信機器４又はホームサーバ５であってもよい。
【００９２】
本実施形態においては、第１乃至第７の実施形態による効果を得ることができると共に、警報器が警報を閃光により報知した場合であっても、リモコン２は警報情報を生成することができるので、この警報情報に応じて照明器具３の光源３１を点灯制御することにより、警報をより確実に使用者に報知できる。
【００９３】
なお、分光フィルタ部６１ａの分光フィルタは、警報内容別に光色が異なる警報用閃光の種類に対応してそれぞれの光色の閃光を透過させるため、複数個設けられていても構わない。分光フィルタが複数個在る場合、これらに対応し、それぞれの分光フィルタを透過した光を受光できるように受光素子が受光部６１ｂに複数個設けられる。分光フィルタと受光素子とは一つの対を成す。受光部６１ｂは、警報用閃光の種類に応じた信号を送出する。解析部２２は、この信号に応じて警報音種類情報を生成し、この警報音種類情報を警報情報に重畳する。第５の実施形態と同様に、この警報情報に基づいて、警報内容別の家電機器制御が行なわれる。
【００９４】
本発明は、上記第１乃至第８の実施形態の構成に限られず、使用目的に応じ、様々な変形が可能である。例えば、第５の実施形態において、制御テーブルＴは、ホームサーバ５に記憶されていても構わない。また、第６の実施形態において、発光部及び発光制御部は、リモコン２及びホームサーバ５のうちいずれか一方にのみ設けられていてもよい。また、第７の実施形態において、スピーカ及び発音制御部は、照明器具３及びホームサーバ５のうちいずれか一方にのみ設けられていても構わない。また、スピーカ３７ａ、５７ａは、例えば、火災報知器１０等の警報器が設置されている部屋以外の場所に在る照明器具３やホームサーバ５にのみ設けられていてもよい。
【図面の簡単な説明】
【００９５】
【図１】本発明の第１の実施形態に係る照明システムの構成図。
【図２】上記照明システムの電気的構成図。
【図３】本発明の第２の実施形態に係る照明システムの構成図。
【図４】上記照明システムの電気的構成図。
【図５】本発明の第３の実施形態に係る照明システムの構成図。
【図６】上記照明システムの電気的構成図。
【図７】上記照明システムの変形例の電気的構成図。
【図８】本発明の第４の実施形態に係る照明システムの構成図。
【図９】上記照明システムの電気的構成図。
【図１０】本発明の第５の実施形態に係る照明システムにおけるリモコンの記憶部に格納されている制御テーブルを示す図。
【図１１】（ａ）は本発明の第６の実施形態に係る照明システムにおけるリモコンの電気的構成図、（ｂ）は同照明システムにおけるホームサーバの電気的構成図。
【図１２】（ａ）は本発明の第７の実施形態に係る照明システムにおける照明器具の電気的構成図、（ｂ）は同照明システムにおけるホームサーバの電気的構成図。
【図１３】本発明の第８の実施形態に係る照明システムにおけるリモコンの電気的構成図。
【符号の説明】
【００９６】
１  照明システム
１０  火災報知器（警報器）
１１  携帯電話機（外部端末）
１２  電気通信回線（通信回線）
２  リモコン
２１  マイク
２２  解析部
２３  記憶部
２５  送信部
２６  電池
２７  受信部
２８  人感センサ
２９ａ  発光部
２９ｂ  発光制御部
６１ａ  分光フィルタ部
６１ｂ  受光部
３  照明器具
３１  光源
３２  受信部
３４  点灯制御部
３５  送信部
３６  人感センサ
３７ａ  スピーカ
３７ｂ  発音制御部
４  通信機器
４１  受信部
４２  送信部
５  ホームサーバ
５１  受信部
５２  家電制御部
５３  送信部
５５ａ  発光部
５５ｂ  発光制御部
５７ａ  スピーカ
５７ｂ  発音制御部
Ｔ  制御テーブル
【図１】
2008204393.tif 000003
【図２】
2008204393.tif 000004
【図３】
2008204393.tif 000005
【図４】
2008204393.tif 000006
【図５】
2008204393.tif 000007
【図６】
2008204393.tif 000008
【図７】
2008204393.tif 000009
【図８】
2008204393.tif 000010
【図９】
2008204393.tif 000011
【図１０】
2008204393.tif 000012
【図１１】
2008204393.tif 000013
【図１２】
2008204393.tif 000014
【図１３】
2008204393.tif 000015